(57)【要約】  【課題】  従来、自動二輪車等のエンジンオイル交換の際に出る廃油の吸収材が収納された廃油回収箱が販売されているが、廃油回収箱と新規エンジンオイル缶とは別個に販売されており、エンジンオイルを交換するためにこれらを購入しようとしたとき、交換するエンジンオイルの量に合った容積の廃油回収容器を選択し、一方ではエンジンに適合する新規エンジンオイル缶を選択して購入しなければならず、面倒であった。また、その一方が売り切れであればエンジンオイルの交換ができない場合があった。本発明は、このような問題を解決するものである。  【解決手段】  廃油回収容器と新規エンジンオイルとを同時購入できるように、店内等にて販売される廃油回収容器内には、エンジンオイル交換の際に出る廃油を吸収する廃油吸収材と、新規エンジンオイルが密封されたオイル容器とが収納された状態である。【選択図】  図２
2005082282.tif 000002
【特許請求の範囲】
【請求項１】
耐オイル性内面を有する厚手の紙にてオイルが漏れない箱状に形成され、新規エンジンオイルが密封されたオイル容器と廃油吸収材とを収納した廃油回収容器。
【請求項２】
厚手の紙にて箱状に形成されて、交換される古いエンジンオイル（廃油）の量に見合った量の新規エンジンオイルが密封されたオイル容器と、この交換される古いエンジンオイル（廃油）の量を吸収するのに適した容量の廃油吸収材とが収納され、外面に前記廃油吸収材が吸収できる廃油の適量表示と前記オイル容器内に密封された新規エンジンオイルに関する表示が印刷された廃油回収容器。
【発明の詳細な説明】
【技術分野】
【０００１】
本発明は、自動二輪車や乗用車等のエンジンオイル交換の際に出る廃油を収納する廃油回収容器に関する。
【背景技術】
【０００２】
従来、自動二輪車や乗用車等の所有者が、自分でエンジンオイルを交換するのに供するために、エンジンオイル交換の際に出る廃油の吸収材が収納された紙箱で作られた廃油回収容器が販売されている。その一つとして、内面に樹脂層が積層された紙袋からなる内袋と、この内袋に収納された廃油吸収材と、この内袋を収納する板紙製の外箱からなる廃油処理容器がある（例えば、特許文献１参照）。
【特許文献１】特開平６‐１８３５０３号公報
【発明の開示】
【発明が解決しようとする課題】
【０００３】
従来、自動二輪車や乗用車等の所有者が、自分でエンジンオイルを交換するのに供するための廃油回収容器は、新規エンジンオイル缶とは別個に販売されており、エンジンオイルを交換するためにこの両方を購入しようとする際には、交換するエンジンオイルの量に合った容積の廃油回収容器を選択し、一方ではエンジンに適合する新規エンジンオイル缶を選択して購入しなければならず面倒であった。しかも、店内等での販売に際しては、この両方の商品がそれぞれ個別に展示され、時には相互に離れた場所に展示される状況もあり、購入者はこれらの商品を探す手間も生じている。そして、その一方が売り切れであればエンジンオイルの交換ができない場合があった。また販売する側は、廃油回収容器と新規エンジンオイル缶とを別々に仕入れる必要があり、購入の手間が掛かり、この関連する二種類の商品の在庫管理もそれぞれ別個に行う必要があった。
【課題を解決するための手段】
【０００４】
本発明はこのような点に鑑みて、廃油回収容器と新規エンジンオイル容器とを同時購入できるようにして、購入者側と販売者側の利便さを向上するものであり、店内等にて販売される廃油回収容器内には、エンジンオイル交換の際に出る廃油を吸収する廃油吸収材と新規エンジンオイルが密封されたオイル容器とが収納された形態とする。
【０００５】
また本発明の廃油回収容器は、厚手の紙にて箱状に形成されて、交換される古いエンジンオイル（廃油）の量に見合った量の新規エンジンオイルが密封されたオイル容器と、この交換される古いエンジンオイル（廃油）の量を吸収するのに適した容量の廃油吸収材とが収納され、外面に前記廃油吸収材が吸収できる廃油の適量表示と前記オイル容器内に密封された新規エンジンオイルに関する表示が印刷されたものである。
【発明の効果】
【０００６】
本発明では、廃油回収容器内に新規エンジンオイルが密封されたオイル容器と廃油吸収材とが収納されているため、店内等において廃油回収容器と共に新規エンジンオイルを同時に販売することができる。このため、販売する側は、新規エンジンオイルが入ったオイル容器と廃油吸収材が入った廃油回収容器とを同時に仕入れることができるため、仕入れがし易くなる。また、この関連する二つの商品を一度に購入し販売できるため、関連する二種類の商品の展示販売がし易く、関連する二種類の商品の在庫管理もし易くなる。また購入者側は、古いエンジンオイル（廃油）と交換される新規エンジンオイルの購入と、交換される廃油の量を吸収する容量の廃油回収容器とを同時に購入できるため、購入し易くなる効果がある。
【０００７】
このため、オイル容器が収納されていない廃油回収容器と新規エンジンオイルとを別個に購入していた従来では、一方が売り切れた場合には、オイル交換ができない場合があったが、本発明ではそのようなこともない。このように、顧客満足度が得られる販売が可能となる。
【０００８】
また、箱の外面には廃油吸収材が吸収できる廃油の適量表示とオイル容器内に密封された新規エンジンオイルに関する表示が印刷されたことによって、廃油吸収材と新規エンジンオイルとが同時販売されることに適した構成となる。
【発明を実施するための最良の形態】
【０００９】
本発明は、購入者側と販売者側の利便さ向上のために、耐オイル性内面を有する厚手の紙にて形成された廃油回収容器内に、廃油吸収材と新規エンジンオイルが密封されたオイル容器とを収納した販売形態を採る廃油回収容器である。
【実施例１】
【００１０】
本発明の実施形態を図に基づき説明する。各図は本発明に係る廃油回収容器を示すものであり、図１は廃油回収容器の斜視図、図２は図１の断面Ａ―Ａにおける廃油回収容器の内部構成図、図３は本発明に係る他の実施形態に係る廃油回収容器の蓋を開いた斜視図、図４はエンジンオイルを廃油回収容器に回収する状態図、図５はオイル容器の収納区画部を形成した廃油回収容器内を示す説明図である。
【００１１】
ここで、１は本発明の廃油回収容器であり、厚手の紙で構成された箱形容器である。この厚手の紙は、通常、厚紙や段ボールなどの梱包用板紙で上面に開口２を形成するように立方形状に組み立てられ、その上面開口２は前後一対または左右一対の開閉可能な蓋部３で閉じられる形態をなす。蓋部３が上面開口２を開いた状態は、図１において二点鎖線３Ａで示しており、蓋部３が上面開口２を閉じた状態は、図１において実線と点線３Ｂで示している。
【００１２】
廃油回収容器１は、その内側面全体が耐オイル性内面を有する構成である。この耐オイル性内面は、合成樹脂層によってオイルが外部に漏出しない構成であり、厚手の紙の内面にこのような合成樹脂層が含浸状態で形成された状態や、厚手の紙の内面にこのような合成樹脂のフィルムが貼付された状態のいずれであってもよい。オイル交換時にエンジンの廃油口から流出するオイルは高温であるため、この耐オイル性内面はこの温度に耐える材質が使用される。その一つとして、ポリプロピレン等のポリオレフィン系合成樹脂が用いられる。耐オイル性内面は少なくとも蓋部３を除くその内面全体に形成すればよいが、蓋部３の内面にも耐オイル性内面を形成した形態でもよい。
【００１３】
４は新規エンジンオイルが密封されたオイル容器であり、円筒状缶や円筒状合成樹脂製容器に新規エンジンオイルが密封された状態である。５は廃油吸収材であり、パルプチップ、おが屑、細かく刻んだ紙屑等がオイルの通過可能な網状袋又は薄い繊維の袋に収納されたものや、薄い紙が複数枚積層されたものや、綿やその他の繊維で構成されたもの等であり、オイル交換時にエンジンの廃油口から流出するオイルを吸収保持する材質である。
【００１４】
商品として販売される廃油回収容器１は、その内部にオイル容器４と廃油吸収材５が収納された状態で、蓋部３、３が上面開口２を閉じた状態である。そして、廃油回収容器１の外面には、この廃油回収容器１が適用できる（廃油吸収材５が吸収できる）廃油の適量（例えば、１リットル用、２リットル用等の表示）と、この中に詰めたオイル容器４内のオイルに関する表示が印刷されている。このオイル関する表示は、オイルの量、オイルの種類、性能、等級、オイルが適用できる車種、オイルが適用できる車のメーカー名等の項目のうちの一つ又は複数の項目が記載されている。
【００１５】
本発明の廃油回収容器１は、交換される古いエンジンオイル（廃油）の量に見合った量の新規エンジンオイルが密封されたオイル容器と、この交換される古いエンジンオイル（廃油）の量を吸収するのに適した容量の廃油吸収材５とが収納されている。換言すれば、オイル容器４内の新規エンジンオイルの量が、廃油吸収材５で吸収する古いエンジンオイル（廃油）の量に見合った状態である。このため、古いエンジンオイル（廃油）と交換される新規エンジンオイルの購入と、交換される廃油の量を吸収する容量の廃油回収容器とを同時に購入できる。
【００１６】
一般的に、エンジンの大きさに応じて交換されるエンジンオイルの量は異なるため、エンジンオイルを交換する者は、交換されるエンジンオイルの量に応じた廃油回収容器１を購入すればよい。したがって、交換されるエンジンオイルの量は廃油吸収材５が吸収できる廃油の適量と略同じであるため、オイル容器４内のオイルの量は交換されるエンジンオイルの量と略同じ量である。このように、オイル交換されるエンジンオイルに対して適用できる廃油回収容器１を購入すれば、その中に収納されたオイル容器４のエンジンオイルがそのまま交換用として使用でき、頗る便利である。
【００１７】
また、廃油回収容器１には、その外面に廃油吸収材５が吸収できる廃油の適量表示とオイル容器４内に密封された新規エンジンオイルに関する表示が印刷されているため、廃油回収容器１と新規エンジンオイルとを同時販売することに適した構成となる。また、廃油回収容器１の使い方やオイル回収後の廃油回収容器１の捨て方等に関する説明や、前記のようなオイル容器４内のエンジンオイルに関する説明等を、その外面に印刷にて記載するか又は内部に収納される説明書８に記載することによって、廃油吸収材５と新規エンジンオイルとを同時販売することに更に適した構成となる。
【００１８】
また、廃油回収容器１内には、蓋部３を開いたとき露出する位置に、耐油性の薄い合成樹脂製簡易手袋７と、前記のようなエンジンオイルに関する説明や廃油回収容器１の使い方等を記載した説明書８等を収納させれば便利である。
【００１９】
廃油回収容器１内に廃油吸収材５とオイル容器４と収納する場合、廃油回収容器１の底にオイル容器４を収納し、そのオイル容器４の周囲に廃油吸収材５を詰めた状態で、上面開口２を蓋部３、３で閉じた状態でもよいが、オイル容器４との接触により廃油回収容器１の内面の耐オイル性合成樹脂層が破損することの防止や、オイル容器４の保護や、オイル容器４が当たることによる廃油回収容器１の破損防止等を達成するためには、図２に示すように、オイル容器４の全周囲が廃油吸収材５で囲まれて、オイル容器４が廃油吸収材５中に埋設した状態に梱包されるのがよい。
【００２０】
なお、少なくともオイル容器４の上方を除くオイル容器４の周囲が廃油吸収材５で囲まれ、オイル容器４上に手袋７や説明書８を収納する形態でもよい。この場合、廃油回収容器１が縦長形態の場合には、オイル容器４が立った状態で廃油吸収材５中に埋設した梱包形態でもよい。
【００２１】
エンジンオイルの交換をする場合、新規エンジンオイルが密封されたオイル容器４と廃油吸収材５とが収納された廃油回収容器１を購入し、蓋部３を開いて合成樹脂製簡易手袋７や説明書８等とオイル容器４とを取り出し、廃油吸収材５の位置を均一に整えた状態で、図４のように、蓋部３を開いた状態でオートバイ等の２輪自動車や４輪自動車等のエンジン付き乗り物Ｋのエンジンオイルの廃油口の下方に位置させる。この状態でエンジンオイルの廃油口の螺子栓を開いて上面開口２から廃油回収容器１内に廃油Ｒを流し込む。流し込まれた廃油Ｒは廃油吸収材５に吸収されて保持されるため、廃油回収後に蓋部３を閉じれば、廃油回収容器１と共に廃油吸収材５に吸収されたオイルは焼却ごみとして処理できることとなる。
【００２２】
このように、厚手の紙からなる廃油回収容器１内に新規エンジンオイルが密封されたオイル容器４と廃油吸収材５とが収納されているため、店頭等では廃油回収容器１と共に新規エンジンオイルが密封されたオイル容器４とを同時に販売することができる。この場合、廃油回収容器の表面には、廃油吸収材が吸収できる廃油の適量表示とオイル容器内に密封された新規エンジンオイルに関する表示が印刷されているため、購入者は廃油回収容器内に新規エンジンオイルのオイル容器４が収納されていることを知ることができる。
【００２３】
このため販売する側は、従来はオイル容器４が収納されていない廃油回収容器１とオイル容器４とを別々に仕入れる必要があり、購入の手間が掛かったが、本発明ではこの手間が省ける。しかも従来はこの別個の商品をそれぞれ展示する必要があり、この関連する二種類の商品の在庫管理もそれぞれ別個に行う必要があったが、本発明では、この関連する二つの商品を一度に仕入れて販売できるため、関連する二種類の商品の展示販売がし易く、また、関連する二種類の商品の在庫管理がし易くなる。
【００２４】
したがって、従来ではオイル容器４が収納されていない廃油回収容器１とオイル容器４との一方が売り切れた場合には、この両方の商品を購入して自分でオイル交換をしたいと欲する顧客の満足度が得られないが、本発明ではそのようなことがないので、顧客の満足度が得られる販売が可能となる。また、エンジンオイル交換の際に出る廃油は、購入した廃油回収容器１に取り込んで捨てることができるため、環境汚染対策上も好ましい。
【実施例２】
【００２５】
図３には本発明の他の実施形態の廃油回収容器に係る構成図を示している。これにおいて図１及び図２と同符合の部分は同一機能部分を示している。図１及び図２の実施形態と異なるところは、廃油回収容器１は、耐オイル性内面処理が施されていない厚手の紙で形成された廃油回収容器１と、この廃油回収容器１の内側には、実施例１のような前記耐オイル性内面に代わって耐オイル性の合成樹脂シート又は合成樹脂フィルムで形成された上面開口の袋６が収納され、この袋６内に廃油吸収材５が収納され、この袋６内又はこの袋６外で厚手の紙の廃油回収容器１内にオイル容器４が収納された形態である。
【００２６】
この形態において好ましい構成として、図２の形態と同様に、図３に示すように、オイル容器４の周囲が廃油吸収材５で囲まれて、オイル容器４が廃油吸収材５中に埋設した状態でこの袋６内に梱包されることにより、この実施例２の場合も実施例１と同様の効果が得られる。そしてこの実施例２の場合には更に、運搬、展示、販売においてこの袋６の破損を防止できることとなる。この場合も、廃油回収容器１が縦長形態の場合には、オイル容器４が立った状態で廃油吸収材５中に埋設した梱包形態でもよい。
【実施例３】
【００２７】
また、図５のように、廃油回収容器１内にオイル容器４が略いっぱいに収納される大きさのオイル容器４の収納区画部９を形成するように、オイル容器４を取り囲む状態に仕切り壁１０を廃油回収容器１と同じ材質で形成することができる。これによって、収納区画部９内にオイル容器４を収納し、その外側の収納部には廃油吸収材５を収納すれば、オイル容器４と廃油吸収材５の収納がしやすい形態となる。またこの形態によって、オイル容器４は移動が制限されるため、運搬に適し、また仕切り壁１０と廃油吸収材５とがオイル容器４に対する外部衝撃を緩衝する役目も行う。この場合、オイル容器４の周囲に若干の廃油吸収材５を詰めることにより、外部衝撃を緩衝する効果が向上する。
【００２８】
この場合、廃油回収容器１は、上記実施例１及び袋６を有する実施例２のいずれの形態であってもよい。
【００２９】
上記実施例１では、廃油回収容器１は耐オイル性内面を形成しているため、実施例２のように合成樹脂製袋が収納された形態に比して、構成部品数が少ない構成となり、しかもオイル交換時に合成樹脂製袋の開口を広く保つ手間もなく取り扱いがし易くなる。本発明は、上記実施形態に限定されず、本発明の技術的範囲を逸脱しない限り種々の変更が考えられ、それに係る種種の実施形態を包含するものである。
【産業上の利用可能性】
【００３０】
本発明の技術思想は、４輪自動車やオートバイ等の２輪自動車の廃油回収に限らず、耕運機や工事用車両等のエンジンオイルの廃油回収にも適用できる。
【図面の簡単な説明】
【００３１】
【図１】本発明に係る廃油回収容器の斜視図である。（実施例１）
【図２】図１の断面Ａ―Ａにおける廃油回収容器の内部構成図である。（実施例１）
【図３】本発明に係る他の実施形態に係る廃油回収容器の蓋を開いた斜視図である。（実施例２）
【図４】エンジンオイルを本発明に係る廃油回収容器に回収する状態図である。
【図５】オイル容器の収納区画部を形成した廃油回収容器内を示す説明図である。（実施例３）
【符号の説明】
【００３２】
１・・・・廃油回収容器
２・・・・廃油回収容器の上面開口
３・・・・廃油回収容器の上面開口の蓋部
４・・・・新規エンジンオイルが密封されたオイル容器
５・・・・廃油吸収材
６・・・・上面開口の袋
７・・・・手袋
８・・・・説明書
９・・・・オイル容器収納区画部
１０・・・仕切り壁
【図１】
2005082282.tif 000003
【図２】
2005082282.tif 000004
【図３】
2005082282.tif 000005
【図４】
2005082282.tif 000006
【図５】
2005082282.tif 000007